【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
打玉が打込まれる遊技領域と、該遊技領域に設けられた始動入賞領域と、該始動入賞領域への打玉の入賞を条件として表示結果を導出表示するための可変表示を開始する可変表示装置とを有し、該可変表示装置における可変表示の表示結果が予め定められた特定の表示態様となったときに遊技者にとって有利となる特定遊技状態に制御可能となる遊技機であって、
遊技制御用のプログラムに従って動作するプロセッサと、
予め定められた上限数の範囲内で前記始動入賞領域への入賞の成立回数を記憶する条件成立回数記憶手段と、
前記始動入賞領域への入賞が発生したときに前記条件成立回数記憶手段の記憶値が前記上限数に達していないことを条件として、前記条件成立回数記憶手段に前記始動入賞領域への入賞の成立回数を累積的に加算して記憶させる加算手段と、
前記可変表示の実行毎に前記条件成立回数記憶手段の記憶値を減算する減算手段と、
前記始動入賞領域への入賞頻度が通常の入賞頻度よりも高い高頻度状態に制御する制御手段と、
前記条件成立回数記憶手段の記憶値が所定の基準値以上となったか否かを判定する基準値判定手段と、
該基準値判定手段により前記条件成立回数記憶手段の記憶値が所定の基準値以上となったと判定されたことを条件として、前記可変表示装置を可変開始させてから表示結果を導出表示させるまでの可変表示制御時間を、予め定めた通常時間よりも短い短縮時間に制御する可変表示時間制御手段と、
前記高頻度状態に制御されたことに基づいて、前記通常の入賞頻度のときに比べて前記基準値を小さい値に変更する基準値変更手段と、
数値情報の更新を繰返し実行することにより所定の範囲内で計数動作を行なう更新手段と、
予め定められた抽出条件の成立により前記更新手段による更新結果の値を抽出し、その抽出値が前記特定遊技状態を発生させ得る特定値であるか否か判定する特定遊技状態判定手段と、
該特定遊技状態判定手段が前記特定値である旨の判定を行なった場合に遊技状態を前記特定遊技状態に制御可能な遊技制御手段と、
前記更新手段による更新結果の値が前記特定値に該当する特定値該当時期を変更する特定値該当時期変更手段と、
前記プロセッサが前記遊技制御用のプログラムを実行することによって生ずる不特定期間、プログラムをループさせることにより数値情報の更新処理を繰返し実行する更新処理手段とを含み、
前記特定値該当時期変更手段は、前記更新処理手段による更新結果の値に基づいて前記特定値該当時期を変更することにより、その変更内容が外部から判別できない態様で変更処理を行なうことを特徴とする、遊技機。
【手続補正２】
【補正対象書類名】明細書
【補正対象項目名】０００８
【補正方法】変更
【補正の内容】
【０００８】
請求項１に記載の本発明は、打玉が打込まれる遊技領域と、該遊技領域に設けられた始動入賞領域と、該始動入賞領域への打玉の入賞を条件として表示結果を導出表示するための可変表示を開始する可変表示装置とを有し、該可変表示装置における可変表示の表示結果が予め定められた特定の表示態様となったときに遊技者にとって有利となる特定遊技状態に制御可能となる遊技機であって、
遊技制御用のプログラムに従って動作するプロセッサと、
予め定められた上限数の範囲内で前記始動入賞領域への入賞の成立回数を記憶する条件成立回数記憶手段と、
前記始動入賞領域への入賞が発生したときに前記条件成立回数記憶手段の記憶値が前記上限数に達していないことを条件として、前記条件成立回数記憶手段に前記始動入賞領域への入賞の成立回数を累積的に加算して記憶させる加算手段と、
前記可変表示の実行毎に前記条件成立回数記憶手段の記憶値を減算する減算手段と、
前記始動入賞領域への入賞頻度が通常の入賞頻度よりも高い高頻度状態に制御する制御手段と、
前記条件成立回数記憶手段の記憶値が所定の基準値以上となったか否かを判定する基準値判定手段と、
該基準値判定手段により前記条件成立回数記憶手段の記憶値が所定の基準値以上となったと判定されたことを条件として、前記可変表示装置を可変開始させてから表示結果を導出表示させるまでの可変表示制御時間を、予め定めた通常時間よりも短い短縮時間に制御する可変表示時間制御手段と、
前記高頻度状態に制御されたことに基づいて、前記通常の入賞頻度のときに比べて前記基準値を小さい値に変更する基準値変更手段と、
数値情報の更新を繰返し実行することにより所定の範囲内で計数動作を行なう更新手段と、
予め定められた抽出条件の成立により前記更新手段による更新結果の値を抽出し、その抽出値が前記特定遊技状態を発生させ得る特定値であるか否か判定する特定遊技状態判定手段と、
該特定遊技状態判定手段が前記特定値である旨の判定を行なった場合に遊技状態を前記特定遊技状態に制御可能な遊技制御手段と、
前記更新手段による更新結果の値が前記特定値に該当する特定値該当時期を変更する特定値該当時期変更手段と、
前記プロセッサが前記遊技制御用のプログラムを実行することによって生ずる不特定期間、プログラムをループさせることにより数値情報の更新処理を繰返し実行する更新処理手段とを含み、
前記特定値該当時期変更手段は、前記更新処理手段による更新結果の値に基づいて前記特定値該当時期を変更することにより、その変更内容が外部から判別できない態様で変更処理を行なうことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
［作用］
請求項１に記載の本発明によれば、条件成立回数記憶手段により、予め定められた上限数の範囲内で始動入賞領域への入賞の成立回数が記憶される。始動入賞領域への入賞が発生したときに条件成立回数記憶手段の記憶値が上限数に達していないことを条件として、加算手段の働きにより、条件成立回数記憶手段に始動入賞領域への入賞の成立回数が累積的に加算して記憶される。減算手段の働きにより、可変表示の実行毎に条件成立回数記憶手段の記憶値が減算される。制御手段の働きにより、始動入賞領域への入賞頻度が通常の入賞頻度よりも高い高頻度状態に制御される。基準値判定手段の働きにより、条件成立回数記憶手段の記憶値が所定の基準値以上となったか否かが判定される。その基準値判定手段により条件成立回数記憶手段の記憶値が所定の基準値以上となったと判定されたことを条件として、可変表示時間制御手段の働きにより、可変表示装置を可変開始させてから表示結果を導出表示させるまでの可変表示制御時間が、予め定めた通常時間よりも短い短縮時間に制御される。基準値変更手段の働きにより、高頻度状態に制御されたことに基づいて、通常の入賞頻度のときに比べて基準値が小さい値に変更される。更新手段の働きにより、数値情報の更新が繰返し実行されることにより所定の範囲内で計数動作が行なわれる。特定遊技状態判定手段の働きにより、予め定められた抽出条件の成立により前記更新手段による更新結果の値が抽出され、その抽出値が前記特定遊技状態を発生させ得る特定値であるか否かが判定される。遊技制御手段の働きにより、前記特定遊技状態判定手段が特定値である旨の判定を行なった場合に遊技状態を前記特定遊技状態に制御可能となる。特定値該当時期変更手段の働きにより、前記更新手段による更新結果の値が前記特定値に該当する特定値該当時期が変更される。更新処理手段の働きにより、前記プロセッサが前記遊技制御用のプログラムを実行することによって生ずる不特定期間、プログラムをループさせることにより数値情報の更新処理が繰返し実行される。さらに、前記特定値該当時期変更手段の働きにより、前記更新処理手段による更新結果の値に基づいて前記特定値該当時期を変更することにより、その変更内容が外部から判別できない態様で変更処理が行なわれる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】０１３３
【補正方法】変更
【補正の内容】
【０１３３】
請求項１に関しては、更新手段による更新結果の値が抽出されてその抽出値が特定値に該当した場合には特定遊技状態に制御可能となるものにおいて、更新手段による更新結果の値が前記特定値に該当する特定値該当時期が変更され、しかもその変更内容が外部から判別できない態様で行なわれるために、更新手段による更新結果の値が前記特定値に該当するタイミングを外部から判別される不都合を極力防止でき、その該当タイミングを外部において判別して行なわれる不正行為を極力防止できる。しかも、前記数値情報の更新処理が、不特定期間プログラムをループさせることにより繰返し実行されるために、更新処理のための集積回路等を別途特別に設ける必要がなく、手軽で安価に更新処理が可能となる。
【手続補正１５】
【補正対象書類名】明細書
【補正対象項目名】０１３４
【補正方法】削除
【補正の内容】
【手続補正１６】
【補正対象書類名】明細書
【補正対象項目名】０１３５
【補正方法】削除
【補正の内容】
【手続補正１７】
【補正対象書類名】明細書
【補正対象項目名】０１３６
【補正方法】削除
【補正の内容】
【手続補正１８】
【補正対象書類名】明細書
【補正対象項目名】０１３７
【補正方法】削除
【補正の内容】
【手続補正１９】
【補正対象書類名】明細書
【補正対象項目名】０１３８
【補正方法】削除
【補正の内容】